(57)【要約】【課題】全体が紙製でありながらも、組み立てやすく、見栄えの良い表示スタンドを提供すること。【解決手段】表面に絵柄等の印刷が施され、並び方向に６つ以上のパネル部分１１〜１６に分割するように折曲げ線が設けられ、裏面の少なくとも一部に粘着剤が配置されてなる板紙製の台紙からなり、折曲げ線で順次折り畳まれることで、隣接するパネル部分が貼着されてなる二重パネルが放射状に３つ以上突き出た自立形状とされている。板紙製の台紙を組み立てて形成されるので、全体がコストの低い紙製であるため、短期間の使用で廃棄したとしても費用が極端に高くなるようなことがなく、また一枚の台紙を折曲げ線で順次折り曲げるだけで自立形状になるので組立が簡単であり、しかもつなぎ目や係止部分がなく、放射状の立体構造という新規な形状であるので見栄えがよいものとなる。【選択図】図１
2009042510.tif 000002
【特許請求の範囲】
【請求項１】
表面に絵柄等の印刷が施され、並び方向に６つ以上のパネル部分に分割するように折曲げ線が設けられ、裏面の少なくとも一部に粘着剤が配置されてなる板紙製の台紙からなり、折曲げ線で順次折り畳まれることで、隣接するパネル部分が貼着されてなる二重パネルが放射状に３つ以上突き出た自立形状とされたことを特徴とする表示スタンド。
【請求項２】
６つ以上のパネル部分が並び方向に等幅であることを特徴とする請求項１に記載の表示スタンド。
【請求項３】
パネル部分が偶数個であることを特徴とする請求項１又は２に記載の表示スタンド。
【発明の詳細な説明】
【技術分野】
【０００１】
本発明は、ファミリーレストランを始めとする各種の外食店舗で用いられているスタンドメニューや告知スタンドなどに好適に利用される表示スタンドに関するものである。
【背景技術】
【０００２】
従来より、ファミリーレストラン等の外食店舗においては、表示スタンド、例えば「季節のオススメ・メニュー」を表示したスタンドメニューや、「ポイントカード会員募集広告」を表示した告知スタンドなどを客席のテーブル上に置くことで、客の注意を喚起して販促効果を挙げることが一般的に広く行われている。このように多くの外食業で表示スタンドを採用している理由としては、狭いテーブルであっても常時配置しやすいことがある。スタンド式にせず、テーブルにメニューを直接貼付している店舗もまれに見られるが、テーブルに料理が運ばれてきた段階で満足に読めなくなってしまうために、「ついでの注文」を誘発させるための販促効果は期待できず、やはりスタンド式の方が優れている。
【０００３】
【特許文献１】実用新案登録第３０６０３６９号公報
【特許文献２】実開平７−３１９３８４号公報
【特許文献３】特開２００３−１０７９９９号公報
【特許文献４】特開２００５−１０７３０７号公報
【発明の開示】
【発明が解決しようとする課題】
【０００４】
このような表示スタンドは、紙とプラスチック（合成樹脂）の組合せからなるものが一般的である。なぜなら、すべてプラスチックで製造すると、コストが高くなりすぎてしまうので採用できず、逆にすべて紙で製造するとコストは低下するものの、見た目が安っぽい印象になってしまい、本来の販促効果が期待できなくなるからである。
【０００５】
例えば、すべて紙としながらも自立させるためには、複雑なパーツを組み合わせて自立構造を設けるか、あるいは三角柱や四角柱などの立体構造とする必要がある。立体構造にする場合、接合箇所を接着テープなどで貼り合わせるか、一方に舌片を設けるとともに他方に切欠を設けて互いに係止させるといった方策を採用せざるを得ず、いずれの方法によっても安っぽい感じの仕上がりにならざるを得なかった。
【０００６】
そのため、一般的には情報部分（例えば、季節限定メニュー）は厚紙印刷とし、その情報部分を自立させるためのスタンド部分をプラスチックとしている場合が多い。
【０００７】
紙とプラスチックを組み合わせることで、スタンドそのものの強度が保持されるため、お客様が飲み物をこぼしたりして何かと汚れがちなテーブルに置かれていても長時間にわたって十分な耐久性を維持するとともに、また印刷した厚紙のみを差し替えるだけで、季節に応じた販促スタンドとすることができるため、その店舗で働く従業員にとってもその維持・交換作業が簡素化されるという効果を有している。逆に言えば、プラスチック製のスタンドが高価であるが故に、何回も使い回さないと費用対効果の観点で問題があるという見方もできる。
【０００８】
しかしながら、プラスチック製のスタンドは耐久性を有するが故に、スタンドそのものの清掃が欠かせない（簡単には廃棄できない）という点と、清掃を実施していても、特に薄肉部分でプラスチックの破壊や劣化が発生しやすい、あるいは情報部分を挟み込む部分などにゴミが溜まりやすく不衛生であるという問題があって、オール紙製の表示スタンドへの期待が高まっている。
【０００９】
なぜなら、安価な紙製の表示スタンドであれば、汚れたら簡単に交換することも可能であり、またすべてが紙製であれば、一元的にリサイクルしやすいからである。プラスチックであっても、分別回収すれば本来的には問題ないが、分別作業を当該店舗で行うという手間が生じる。
【００１０】
本発明は、このような背景に鑑みてなされたものであり、その目的とするところは、全体が紙製でありながらも、組み立てやすく、見栄えの良い表示スタンドを提供することにある。
【課題を解決するための手段】
【００１１】
上記の目的を達成するため、本発明の表示スタンドは、表面に絵柄等の印刷が施され、並び方向に６つ以上のパネル部分に分割するように折曲げ線が設けられ、裏面の少なくとも一部に粘着剤が配置されてなる板紙製の台紙からなり、折曲げ線で順次折り畳まれることで、隣接するパネル部分が貼着されてなる二重パネルが放射状に３つ以上突き出た自立形状とされたことを特徴としている。
【００１２】
そして、上記の表示パネルにおいて、６つ以上のパネル部分が並び方向に等幅である形態とすることができるし、また、パネル部分が偶数個である形態にすることもできる。
【発明の効果】
【００１３】
本発明の表示スタンドは、板紙製の台紙を組み立てて形成されるので、全体がコストの低い紙製であるため、例えば毎週変えるなどのように短期間の使用で廃棄したとしても費用が極端に高くなるようなことがなく、また一枚の台紙を折曲げ線で順次折り曲げるだけで自立形状になるので組立が簡単であり、しかもつなぎ目や係止部分がなく、放射状の立体構造という新規な形状であるので見栄えがよいものとなり、ファミリーレストラン等の外食店舗において客席のテーブル上に置くことにより、大きな販促効果を発揮させることができる。
【発明を実施するための最良の形態】
【００１４】
以下、本発明の実施の形態について図面を参照しながら詳細に説明する。
【００１５】
図１は本発明に係る表示スタンドの一例を示す斜視図、図２は図１の表示スタンドとなる前の貼合せシートを示す平面図、図３は図２の貼合せシートを横断する位置で示す断面図、図４は図２の貼合せシートから表示スタンドとする手順を示す説明図である。
【００１６】
図１の表示スタンドＡは、例えばファミリーレストランの客席テーブルに設置されるもので、ここでは「季節限定メニューのお知らせ」を表示したスタンドメニューとして使用される。この表示スタンドＡは、図２及び図３に示す貼合せシートＳを組み立てて図示の如き自立形状とされる。
【００１７】
貼合せシートＳは、板紙製の台紙１の表面に絵柄等の印刷を施し、さらに並び方向に等幅の６つのパネル部分１１，１２，１３，１４，１５，１６に分割するようにミシン目からなる折曲げ線ａ，ｂ，ｃ，ｄ，ｅを設けた後、一つ置きのパネル部分１１，１３，１５の裏面に粘着剤２を配置し、その粘着剤２を覆って剥離紙３を設けている。
【００１８】
台紙１としては、白板紙、チップボール等のいわゆる板紙と呼ばれる用紙から適宜選択したものが使用される。台紙１に施す印刷は、絵柄を始めとし説明文、数字等、目的に応じたものが適宜施される。また、粘着剤２は一つ置きのパネルの裏側全面に塗布するのが好ましいが、隣接するパネル部分の裏側同士が貼り合わされればその塗布パターンは任意である。離型紙３は、少なくとも粘着剤２と接する部分に剥離剤が設けられているシート状基材を用いる。
【００１９】
また、例えば、表示スタンドのリサイクル性を向上させるためには、粘着剤２に公知の全離解タイプを使用するとよい。
【００２０】
また、水や飲み物による汚れなどから情報部分（例えば季節限定メニュー）への汚損を防止するために、絵柄の上から少なくとも一部に防汚層を設けてもよい。防汚層は、用紙中に含浸して、水はねや汚れが染み込まないようにしておくだけでも、さらにシリコーンなどの剥離成分を混ぜて積極的に撥水させてもよく、この部分は耐水耐油紙などの技術が好適に利用できる。
【００２１】
また、剥離紙には、貼合せシートから表示スタンドに至る組み立て方を図解したりすることで、無駄なく利用することが可能である。
【００２２】
この貼合せシートＳから、台紙１を粘着剤２とともに離型紙３から引き剥がし、順次折り畳んでいくと、紙だけで形成されたスタンドが完成する。この場合、図４（ａ）のように、パネル部分１１とパネル部分１２、パネル部分１３とパネル部分１４、パネル部分１５とパネル部分１６を貼着してそれぞれ二重パネルとすることにより、図１に示すような矩形状の二重パネルが放射状に３つ突き出た自立形状となる。或いは、図４（ｂ）のように、パネル部分１２とパネル部分１３、パネル部分１４とパネル部分１５を貼着してそれぞれを二重パネルとし、さらにパネル部分１１とパネル部分１６を貼着して二重パネルとすることにより、図１に示すような矩形状の二重パネルが放射状に３つ突き出た自立形状となる。
【００２３】
図５は図２に示した貼合せシートの変形例を示す平面図である。この貼合せシートＳ’は、剥離紙３を貫通しない状態で表側からハーフカットαを設けることで、台紙１のパネル部分１１〜１６を矩形以外の形状（ここでは台形）としたものである。この貼合せシートＳ’を前述したのと同じ手順で組み立てると、図６に示すような台形状の二重パネルが放射状に３つ突き出た自立形状となる。
【００２４】
以上、本発明の実施の形態について詳細に説明してきたが、本発明による表示スタンドは、上記実施の形態に何ら限定されるものではなく、本発明の趣旨を逸脱しない範囲において種々の変更が可能であることは当然のことである。
【００２５】
例えば、上記の例ではパネル部分を６つとしたが、パネル部分の数はそれより多くてもよい。偶数個の場合は、放射状となる二重パネルが４以上となり、奇数個の場合は、二重パネルが３つ以上と一つのパネル部分とが放射状となる。
【００２６】
また、上記の例では６つのパネル部分を並び方向に等幅としたが、必ずしも全てが等幅である必要はない。要は、二重パネルが、或いは二重パネルと一つのパネル部分とが放射状になって自立しさえすればよく、幅や形状はデザインを考慮して適宜決めればよいものである。
【産業上の利用可能性】
【００２７】
上記の実施形態では、外食業の客席テーブルに利用するスタンドメニューを例示して話を進めてきたが、一般生活者と直接的な接点を有する有店舗業者においては、何かしらの販促のためにこの種の表紙スタンドを設置することは少なくない。例えば、金融機関であれば「新商品の案内」であったり、百貨店などの流通系であれば「ハウスカードの入会案内」であったり、といった具合である。当然、個人の場合でも「卓上カレンダー」のような用途であれば、本発明は好適に利用可能である。
【図面の簡単な説明】
【００２８】
【図１】本発明に係る表示スタンドの一例を示す斜視図である。
【図２】図１の表示スタンドとなる前の貼合せシートを示す平面図である。
【図３】図２の貼合せシートを横断する位置で示す断面図である。
【図４】図２の貼合せシートから表示スタンドとする手順を示す説明図である。
【図５】図２に示した貼合せシートの変形例を示す平面図である。
【図６】図５に示す貼合せシートを組み立てた表示スタンドを示す斜視図である。
【符号の説明】
【００２９】
Ａ，Ａ’  表示スタンド
Ｓ，Ｓ’  貼合せシート
ａ〜ｅ  折曲げ線
α  ハーフカット
１  台紙
１１〜１６  パネル部分
２  粘着剤
３  剥離紙
【図１】
2009042510.tif 000003
【図２】
2009042510.tif 000004
【図３】
2009042510.tif 000005
【図４】
2009042510.tif 000006
【図５】
2009042510.tif 000007
【図６】
2009042510.tif 000008